(57)【特許請求の範囲】
【請求項１】
それぞれアドレスが設定された複数台の端末器と伝送ユニットとが２線式の信号線に接続され、伝送ユニットから前記各端末器に時分割多重伝送方式により伝送信号を伝送し、いずれかの端末器への監視入力があると、伝送ユニットに関係データとして設定されているアドレスの対応関係を用いることにより、他の端末器に接続された負荷を制御し、１つの監視入力に複数の負荷を対応付けるように伝送ユニットに関係データが設定されているときには１つの監視入力により複数の負荷を一括して制御可能とする遠隔監視制御システムに用いられ、表示内容の異なる画面を切替表示可能な表示部と、表示部と協働して各端末器に設定されるアドレスまたは伝送ユニットに設定される関係データの設定内容を作成する操作部と、前記表示部および前記操作部により設定した関係データを格納可能なデータメモリと、前記表示部および前記操作部により設定したアドレスを端末器に転送するアドレス設定処理と前記データメモリに格納した関係データを伝送ユニットに転送する関係データ設定処理とが選択可能な信号処理部と、前記信号処理部においてアドレス設定処理が選択されたときに前記端末器との間にワイヤレス信号を伝送媒体とする伝送路を形成し端末器に設けた不揮発性メモリからなる記憶部に各端末器に設定するアドレスを転送させるワイヤレス通信部と、前記信号線に接続可能であって前記信号処理部において関係データ設定処理が選択されているときに前記データメモリから前記伝送ユニットに関係データを転送する経路を形成する接続線とを備え、前記接続線の一端には信号線に接続されている相手側コネクタに着脱可能に接続されるコネクタが設けられ、前記相手側コネクタが、埋込型配線器具用の取付枠における取付窓に前部が挿入されるとともに取付窓への挿入部位の両側面に取付枠と係合して取付枠に保持される取付部を有したケースの前面に露出する形で取り付けられるものであって、前記コネクタの一部が挿入可能となった円環状の溝部が設けられ、前記溝部を囲む外筒の外周面には前記コネクタに設けた締め付けナットと螺合してコネクタの抜け止めをなすねじ部が形成され、コネクタを接続していないときにねじ部に螺合させて異物の接触や付着を防止するキャップが連結紐を介して前記ケースに取り付けられ、前記ケースは取付枠の取付窓への装着時に取付窓内に他の配線器具を取り付けるスペースを残す寸法に形成されていることを特徴とする遠隔監視制御システム用の設定器。
【請求項２】
前記器体には前記接続線の他端に設けた差込コネクタが着脱自在に接続されるレセプタクルが設けられていることを特徴とする請求項１記載の遠隔監視制御システム用の設定器。
【発明の詳細な説明】
【０００１】
【発明の属する技術分野】
本発明は、時分割多重伝送方式により伝送信号を信号線に伝送し、この伝送信号を用いて監視入力に応じた負荷制御を可能とした遠隔監視制御システムに用いられ、監視入力と負荷との対応関係を設定する遠隔監視制御システム用の設定器に関するものである。
【０００２】
【従来の技術】
従来から、図２８に示す構成の遠隔監視制御システムが知られている。この遠隔監視制御システムでは、伝送ユニット３０に接続された２線式の信号線Ｌｓに複数台ずつの操作端末器３１および制御端末器３２が接続（マルチドロップ接続）される。図示例では操作端末器３１として、個別スイッチ３１ａ、パターンスイッチ３１ｂが設けられる。各操作端末器３１および各制御端末器３２にはそれぞれアドレスが設定されており、伝送ユニット３０はアドレスを用いて操作端末器３１および制御端末器３２を識別する。個別スイッチ３１ａとパターンスイッチ３１ｂとはそれぞれ監視入力を発生させるスイッチＳａ，Ｓｂを備え、制御端末器３２は負荷（図示例では照明負荷Ｌ）を制御するリレーを内蔵する。また、操作端末器３１には照明負荷Ｌの動作状態を確認するための発光ダイオードよりなる確認灯（図示せず）が設けられている。ここに、リレーには一般にラッチング型のものが用いられ、制御端末器３２がリレーを動作させる際にはリレーにパルス的に電源を供給する。制御端末器３２はリレーを外部に持つ形式のものもあり、この場合には別途に設けたトランスからリレーにパルス的に給電する。
【０００３】
伝送ユニット３０は信号線Ｌｓに対して、図２９（ａ）に示すフォーマットの伝送信号Ｖｓを送出する。伝送信号Ｖｓは、信号送出開始を示す同期信号ＳＹ、伝送信号Ｖｓのモードを示すモードデータＭＤ、操作端末器３１や制御端末器３２を各別に呼び出すためのアドレスデータＡＤ、照明負荷Ｌを制御する制御データＣＤ、伝送誤りを検出するためのチェックサムデータＣＳ、操作端末器３１や制御端末器３２からの返送信号（監視データ）を受信するタイムスロットである信号返送期間ＷＴよりなる双極性（±２４Ｖ）の時分割多重信号であり、パルス幅変調によってデータが伝送される（図２９（ｂ））。各操作端末器３１および各制御端末器３２では、信号線Ｌｓを介して受信した伝送信号Ｖｓにより伝送されたアドレスデータＡＤが、各操作端末器３１あるいは各制御端末器３２においてあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓの線間を開放した状態と低インピーダンスを挿入した状態とで表される電流変化による２値信号）で返送する。
【０００４】
伝送ユニット３０から所望の操作端末器３１あるいは制御端末器３２にデータを伝送する場合には、モードデータＭＤを制御モードとし、操作端末器３１あるいは制御端末器３２に設定されたアドレスをアドレスデータＡＤとする伝送信号Ｖｓを送出し、この伝送信号Ｖｓを信号線Ｌｓに送出すれば、アドレスデータＡＤに一致するアドレスを有した操作端末器３１または制御端末器３２が制御データＣＤを受け取り、信号返送期間ＷＴに監視データを返送する。伝送ユニット３０では送出した制御データＣＤと信号返送期間ＷＴに受信した監視データとの関係によって制御データＣＤが所望の操作端末器３１または制御端末器３２に伝送されたことを確認する。制御端末器３２は受け取った制御データＣＤに従って照明負荷Ｌを制御するための負荷制御信号を出力し、操作端末器３１では受け取った制御データＣＤに従って照明負荷Ｌの動作確認表示を行なうための監視信号を出力する。
【０００５】
一方、伝送ユニット３０は通常時にはモードデータＭＤをダミーモードとした伝送信号Ｖｓを一定時間間隔で送出しており（常時ポーリング）、操作端末器３１においてスイッチＳａ，Ｓｂの操作に伴う監視入力が発生すると、操作端末器３１は伝送ユニット３０に対して監視入力の発生を伝送しようとする。すなわち、この操作端末器３１はダミーモードの伝送信号Ｖｓの同期信号ＳＹに同期させて図２９（ｃ）のような割込信号を発生させ、同時に割込フラグを設定して伝送ユニット３０との以後の情報授受に備える。伝送ユニット３０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器３１では、割込ポーリングモードの伝送信号のアドレスデータＡＤの上位４ビットが操作端末器３１に設定されているアドレスの上位４ビットに一致するときに、信号返送期間ＷＴにアドレスの下位の半数のビットを伝送ユニット３０に返送する。このように、伝送ユニット３０は割込信号を発生した操作端末器３１を１６個ずつまとめて探すので、比較的短い時間で操作端末器３１を発見することができる。
【０００６】
伝送ユニット３０が割込信号を発生した操作端末器３１のアドレスを獲得するとモードデータＭＤを監視モードとし、獲得したアドレスデータＡＤを持つ伝送信号Ｖｓを信号線Ｌｓに送出する。この伝送信号Ｖｓに対して操作端末器３１は伝送しようとする情報を信号返送期間ＷＴに返送する。最後に、伝送ユニット３０は割込信号を発生した操作端末器３１に対して割込リセットを指示する信号を送出し、操作端末器３１の割込フラグを解除する。以上のようにして、操作端末器３１から伝送ユニット３０への情報伝送は、伝送ユニット３０から操作端末器３１への４回の信号伝送（ダミーモード、割込ポーリングモード、監視モード、割込リセット）によって完了する。伝送ユニット３０が所望の制御端末器３２の動作状態を知ろうとするときには、モードデータＭＤを監視データとした伝送信号を送出するだけでよい。
【０００７】
上述の動作を簡単にまとめる。まず、操作端末器３１においてスイッチＳａ，Ｓｂの操作に伴う監視入力が発生すると、操作端末器３１から監視入力に対応した監視データを伝送ユニット３０に返送し、伝送ユニット３０が制御端末器３２に制御データＣＤを伝送すると、制御端末器３２は負荷制御信号を出力して照明負荷Ｌを制御する。ここで、制御端末器３２には負荷監視入力が与えられ、負荷監視入力に対応する監視データを伝送ユニット３０に返送し、返送された監視データを操作端末器３１に伝送する。この伝送信号によって操作端末器３１では監視信号を出力する。監視出力は通常は確認灯の点灯・消灯に用いられる。
【０００８】
ところで、各操作端末器３１において最大４回路の監視入力を受け付けることを可能とし（個別スイッチ３１ａには最大４個のスイッチＳａを設けることができる）、また各制御端末器３２において最大４回路の照明負荷Ｌを接続することを可能とするために、伝送信号ＶｓのアドレスデータＡＤにはアドレスを拡張する２ビットの負荷番号が設けられている。つまり、各操作端末器３１および各制御端末器３２には最大４個ずつのアドレスが設定可能になっている。各操作端末器３１および各制御端末器３２に設定される４個のアドレスのうち負荷番号を除く部分は端末器の種別（操作端末器３１か制御端末器３２かなどの種別）を表す部分とチャンネル（対応関係を持つ操作端末器３１と制御端末器３２とは同一チャンネルが設定される）を表す部分とから構成される。言い換えると、各スイッチＳａ，Ｓｂおよび各照明負荷Ｌにはそれぞれ個別のアドレスが付与されていることになる。また、互いに一対一に対応する個別スイッチ３１ａと制御端末器３２とを同チャンネルに設定することで対応関係がわかりやすくなっている。
【０００９】
ところで、この種の遠隔監視制御システムでは、パターンスイッチ３１ｂのスイッチＳｂと照明負荷Ｌとのアドレスの対応関係を伝送ユニット３０で管理しているから、伝送ユニット３０において１回路のスイッチＳｂのアドレスに複数回路の照明負荷Ｌのアドレスを関係データとして対応付けておけば、１回路のスイッチＳｂで複数回路の照明負荷Ｌを一括して制御することが可能である。このような一括制御にはグループ制御とパターン制御とがある。グループ制御では複数の負荷を同じ制御状態に制御し、パターン制御では複数の負荷をあらかじめ個々に設定した制御状態に制御する。グループ制御やパターン制御は、照明負荷Ｌを制御するときにとくに有効であって、オフィス空間のように多数の照明負荷が配列されているような場所で、複数の照明負荷を一斉に点灯・消灯させる際にグループ制御やパターン制御を利用することができる。図示例ではスイッチＳｂを備えたパターンスイッチ３１ｂを示しているが、グループ制御用の端末器であるグループスイッチは示していない。ただし、パターン制御やグループ制御では、一括制御用に定められている操作用アドレスを用いる点を除けば他の操作端末器と同様である。
【００１０】
上述のように、パターン制御を行なうためには伝送ユニット３０においてパターンスイッチ３１ｂに設けたスイッチＳｂのアドレスに複数回路の照明負荷Ｌのアドレスを対応付けて登録しておく必要があり、この種の設定操作をパターン設定と称している。グループ制御の場合も同様であるから、以下では、グループ制御を行なう設定操作をグループ設定と呼ぶ。
【００１１】
ところで、遠隔監視制御システムは、照明負荷Ｌを制御する制御モードと、パターン設定やグループ設定を行なう設定モードとの２つの動作モードを有している。つまり、遠隔監視制御システムを動作させると、伝送ユニット３０は、まず通常の制御モードになり、ダミーモードの伝送信号を信号線Ｌｓに送出する。割込信号がなければ、そのままダミーモードによる伝送信号を繰り返して発生する常時ポーリングを行なう。一方、割込信号があると、操作端末器３１を特定して操作端末器３１からの要求を取り込む。ここで、動作モードの変更が要求されていなければ、現状の動作モードを判別し、制御モードであれば照明負荷Ｌを制御し、設定モードであればパターン設定ないしグループ設定を行なう。また、動作モードの変更が要求されているときには、要求内容に応じて動作モードを変更する。
【００１２】
設定モードでパターン設定を行なうには、所望のパターンスイッチ３１ｂのスイッチＳｂを操作し、次に、そのスイッチＳｂによる制御対象となる照明負荷Ｌに対応付けられているスイッチＳａを操作するのである。ここに、各スイッチＳａと照明負荷Ｌとの関係は先に設定されていることが前提である。このような手順によりスイッチＳａ操作に応じた照明負荷Ｌの状態が伝送ユニット３０に関係データとして取り込まれ、１個のスイッチＳｂに複数の照明負荷Ｌの状態が対応付けられるのである。グループ設定もパターン設定とほぼ同様である。
【００１３】
一方、この種の遠隔監視制御システムでは、操作端末器３１の一種であるパターン設定器３３を用いることもある。パターン設定器３３は、１台の装置に複数台の操作端末器３１を設けたものに相当し、多数のスイッチＳを備えている（図示例のものは６４回路分のスイッチＳを備え、各スイッチＳで４回路分ずつの操作が可能となるように別のスイッチで切替選択する構成になっている。したがって、２５６回路の操作が可能である）。各スイッチＳはアドレスを割り付けることによって、任意の操作端末器３１のスイッチＳとして用いることができるようになっている。
【００１４】
パターン設定器３３を用いるときには、パターンスイッチとして割り付けたスイッチＳを選択した後に、個別スイッチとして割り付けたスイッチＳの操作によって各照明負荷Ｌの制御状態を設定して関係データを作成し、この関係データを伝送ユニット３０に転送する。つまり、パターン設定器３３を設置している場所で関係データを作成することができるから、個別スイッチ３１ａとパターンスイッチ３１ｂとを用いてパターン設定を行なう場合に比較すると、作業が簡単になる。
【００１５】
端末器としては、図３０に示すように、照明負荷Ｌの光出力を調節可能な調光器を内蔵した調光制御端末器３２ｃや、調光制御端末器３２ｃを用いた場合の調光量を指示するための調光操作端末器３１ｃなども用いることができる。さらには電動カーテンや電動シャッタのような電動機を負荷とする制御端末器およびその制御端末器と対になる操作端末器を用いる場合もある。
【００１６】
【発明が解決しようとする課題】
しかしながら、上述のようにパターン設定器３３は６４回路分のスイッチＳを備えるものであるから大型かつ高価なものであって、通常は制御盤などに固定して使用される。つまり、小規模ないし中規模の遠隔監視制御システム（操作端末器３１および制御端末器３２の台数が比較的少ないシステム）に使用するには適しているとは言えないものである。
【００１７】
そこで、小規模ないし中規模の遠隔監視制御システムに使用するのに適した図３１に示すような可搬型の設定器３４を先に提案した。先に提案した設定器３４では、関係データを伝送ユニット３０に設定する際に信号線Ｌｓに接続するように構成してあり、設定器３４を信号線Ｌｓと接続する際には接続線Ｌｃを用いるようになっている。接続線Ｌｃは、たとえば操作端末器３１に設けたねじ付き端子３５に接続可能となるように図３２のように、一端部にＹ型圧着端子ないしＵ型圧着端子３６を備え、他端部に設定器３４に着脱自在に接続される差込コネクタ３７を設けてある。
【００１８】
しかしながら、上述した構成ではねじ付き端子３５にしか接続することができないものであるから、接続線Ｌｃを信号線Ｌｓに接続するためにドライバのような工具が必要になり、設定器３４の接続作業が面倒であるという問題を有している。
【００１９】
本発明は上記事由に鑑みて為されたものであり、その目的は、工具を用いることなく信号線に容易に接続することができる遠隔監視制御システム用の設定器を提供することにある。
【００２０】
【課題を解決するための手段】
請求項１の発明は、それぞれアドレスが設定された複数台の端末器と伝送ユニットとが２線式の信号線に接続され、伝送ユニットから前記各端末器に時分割多重伝送方式により伝送信号を伝送し、いずれかの端末器への監視入力があると、伝送ユニットにアドレスの関係として設定された監視入力と負荷との対応関係を用いることにより、他の端末器に接続された負荷を制御し、１つの監視入力に複数の負荷を対応付けるように対応関係を設定した関係データを伝送ユニットに設定しているときには１つの監視入力により複数の負荷を一括して制御可能とする遠隔監視制御システムに用いられ、表示内容の異なる画面を切替表示可能な表示部と、表示部と協働して各端末器のアドレスまたは前記関係データの設定内容を指示する操作部と、前記表示部および前記操作部により設定した関係データを格納可能なデータメモリと、前記表示部および前記操作部により設定した各端末器のアドレスを端末器に転送するアドレス設定処理と前記データメモリに格納した関係データを伝送ユニットに転送する関係データ設定処理とが選択可能な信号処理部と、前記信号処理部においてアドレス設定処理が選択されているときに前記端末器との間にワイヤレス信号を伝送媒体とする伝送路を形成し端末器に設けた不揮発性メモリからなる記憶部に端末器のアドレスを転送させるワイヤレス通信部と、前記信号線に接続可能であって前記信号処理部において関係データ設定処理が選択されているときに前記データメモリから前記伝送ユニットに関係データを転送する経路を形成する接続線とを備え、前記接続線の一端には信号線に接続されている相手側コネクタに着脱可能に接続されるコネクタが設けられ、前記相手側コネクタが、埋込型配線器具用の取付枠における取付窓に前部が挿入されるとともに取付窓への挿入部位の両側面に取付枠と係合して取付枠に保持される取付部を有したケースの前面に露出する形で取り付けられるものであって、前記コネクタの一部が挿入可能となった円環状の溝部が設けられ、前記溝部を囲む外筒の外周面には前記コネクタに設けた締め付けナットと螺合してコネクタの抜け止めをなすねじ部が形成され、コネクタを接続していないときにねじ部に螺合させて異物の接触や付着を防止するキャップが連結紐を介して前記ケースに取り付けられ、前記ケースは取付枠の取付窓への装着時に取付窓内に他の配線器具を取り付けるスペースを残す寸法に形成されているものである。
【００２３】
請求項２の発明は、請求項１の発明において、前記器体には前記接続線の他端に設けた差込コネクタが着脱自在に接続されるレセプタクルが設けられているものである。
【００２４】
【発明の実施の形態】
本発明の設定器３４は、図５ないし図８に示すように、片手で持つことができる程度の大きさに形成された扁平な器体１１を備え、器体１１の前面上部には液晶表示器２２よりなる表示部１２が設けられ、器体１１の前面下部には各種操作を行なうための操作部１３が設けられている。器体１１は後部を形成するボディ１１ａと、前部を形成するカバー１１ｂとを結合して形成される。表示部１２である液晶表示器２２はドットマトリクス型の表示器であって、任意の文字ないし図形を表示できるものを用いている。表示部１２の前面はカバー１１ｂに設けた開口窓１１ｃに臨むように配置されるとともに、透明板よりなる保護板１２ａにより覆われている。また、器体１１の上面中央部には後述する赤外線のワイヤレス信号を透過させる投受光窓１４が装着され、器体１１の上面側部には信号線Ｌｓに接続するためのレセプタクル１５が設けられている。さらに、器体１１の左側面には、図９のように、スライドスイッチよりなる電源スイッチのハンドル１６と、表示部１２のバックライトを点灯・消灯させるための押操作されるバックライトスイッチの押釦１７が設けられる。
【００２５】
ところで、設定器３４の器体１１には、図１０に示すように、マイクロコンピュータ（以下、マイコンと略称する）を主構成とする信号処理部２０が収納される。信号処理部２０には、システムプログラムを格納したフラッシュメモリよりなるプログラムメモリ２０ａ、パターン設定やグループ設定を行う際に作成した関係データを格納しておくフラッシュメモリよりなるデータメモリ２０ｂ、一時的に記憶すべきデータを格納するＳＲＡＭよりなる作業用メモリ２０ｃがデータバスＢＤＴおよびアドレスバスＢＡＤを介して接続されている。ここに、フラッシュメモリは無給電でも記憶内容を保持するから、プログラムメモリ２０ａに格納されたプログラムおよびデータメモリ２０ｂに格納された関係データは、電源がオフになった後も保持することができる。
【００２６】
信号処理部２０は、送受信回路２１および電源スイッチＳＷ１を介してレセプタクル１５に接続されている。送受信回路２１は遠隔監視制御システムの信号線Ｌｓを介して設定器３４と伝送ユニット３０との間でのデータ伝送を可能とする回路である。
【００２７】
さらに、信号処理部２０には表示部１２としての液晶表示器２２が接続される。液晶表示器２２はバックライトを備え、バックライトはバックライト制御回路２３により発光輝度が制御される。バックライトは上述したバックライトスイッチＳＷ２によって点灯・消灯の指示がなされる。上述した操作部１３は押操作の復帰力としてゴムの弾性を利用したいわゆるラバースイッチ１８を用いたキーマトリクス２４よりなる。ここに、キーマトリクス２４を構成するラバースイッチ１８は一枚の弾性体シートを用いて複数個のキーを形成してある。また、赤外線の光ワイヤレス信号を伝送媒体とする伝送路を形成するワイヤレス通信部としての光送受信回路２５も信号処理部２０に接続されている。光送受信回路２５は赤外線を投受光するための発光ダイオードおよびフォトダイオードを備える。また、キーマトリクス２４による操作の確認音や誤操作時の警告音などを発生させるためのブザーＢｚも信号処理部２０に接続されている。
【００２８】
この設定器３４は、レセプタクル１５を介して信号線Ｌｓに接続しているときには、信号線Ｌｓを伝送されている伝送信号を整流し安定化することによって内部電源を得ることが可能であり、また、信号線Ｌｓに接続していないか伝送信号が伝送されていないときには電源として内蔵した電池を用いることができる。したがって、内部回路に給電するための電源回路２６では信号線Ｌｓからの電力と電池からの電力との一方を選択して内部回路に供給する。ここに、信号線Ｌｓに接続されているか否かは信号有無検出回路２７に伝送信号が入力されるか否かで判断される。なお、信号線Ｌｓからの電力と電池からの電力とのどちらを用いるかは処理内容によっても異なる。
【００２９】
上述した回路部は、図６に示すように、器体１に収納される３枚の回路基板１９ａ〜１９ｃに分割して実装される。上述したラバースイッチ１８は、回路基板１９ｂに設けたスイッチパターンとともにスイッチを形成することによって操作部１３として機能し、回路基板１９ｂとカバー１１ｂとの間に一部が挟持され、ラバースイッチ１８に設けた凸部がカバー１１ｂに設けた透孔に挿通されて操作用の押釦として露出する。さらに、ボディ１１ａの後面下部には電池収納室１１ｄが形成されており、電池収納室１１ｄの開口は着脱可能な電池カバー１１ｅにより覆われる。電池収納室１１ｄには、単三型電池が４本収納可能となるように電池端子１１ｆが配置され、電池の出力電圧は定格６Ｖになっている。
【００３０】
一方、本実施形態で用いる操作端末器３１および制御端末器３２は、伝送ユニット３０との間のデータの授受がマイコンを主構成とする端末処理部で行なわれ、アドレスや端末器の種別はＥＥＰＲＯＭよりなるデータ記憶部に格納される構成を有する。また、光ワイヤレス信号を送受信するワイヤレス信号送受信部を有し、データ記憶部に格納される情報の設定、修正、確認には光ワイヤレス信号を用いる。従来の技術として説明したように、操作端末器３１には、個別スイッチ３１ａ、パターンスイッチ３１ｂのほか、グループ制御に用いるグループスイッチ、照明負荷Ｌの調光を指示する調光スイッチ３１ｃ、センサやスイッチが監視入力として接続される入力端末器などの種別があり、また制御端末器３２には、照明負荷Ｌと電源との間に挿入されるリレーを制御するリレー端末器３２ａ、照明負荷Ｌへの供給電力を制御して調光点灯させる調光端末器３２ｃなどの種別がある。
【００３１】
これらの各種端末器は、端末処理部、データ記憶部、ワイヤレス信号送受信部を共通構成としており、各端末器の種別がデータ記憶部に格納されることによって、端末処理部は端末器の種別に応じた動作を行なう。つまり、データ記憶部は一種のメモリスイッチないしパラメータメモリとして機能し、その設定内容に応じて端末処理部の動作が規定されるのである。換言すると、端末処理部は複数種類のプログラムモジュールを備え、データ記憶部の設定内容に応じてどのプログラムモジュールを用いるかが決定されるのである。データ記憶部に設定可能な情報としては、端末器の種別のほか、負荷をオンにする操作の後に一定時間だけ負荷をオンにする一時オン、負荷をオフにする操作から一定時間後に負荷をオフにする遅れオフ、照明負荷のオンないしオフの操作から照明負荷の光出力を徐々に増減させるフェードの機能も設定可能であり、これらの機能では時間も合わせて設定可能になっている。
【００３２】
ところで、図１１に示すように、表示部１２の画面１２ｂの周囲には、上辺に沿って「制御種別」、「アドレスＮｏ．」、「ＯＮ／ＯＦＦ」、「タイマー」、「調光レベル」の文字が左から順に表記され、左辺に沿って「モード」、「アドレス設定」、「Ｐ・Ｇ設定」、「初期」、「特別」、「確認」の文字が上から順に表記され、下辺に沿って「スイッチ」、「入力Ｔ／Ｕ」、「リレーＴ／Ｕ」、「調光Ｔ／Ｕ」、「残量表示」の文字が左から順に表記されている。また、表示部１２の画面１２ｂの周囲において左辺に沿って表記された「アドレス設定」、「Ｐ・Ｇ設定」、「初期」、「特別」の文字に対応する部位、および下辺に沿って表記された「スイッチ」、「入力Ｔ／Ｕ」、「リレーＴ／Ｕ」、「調光Ｔ／Ｕ」の文字の近傍にはマーカＭが表示可能であり、マーカＭは反転表示（表示色を背景と異ならせることを意味する）によって示される。つまり、マーカＭを用いて実行中の機能を示すようになっている。
【００３３】
「残量表示」の文字の上には、電源である電池のシンボルＩが表示される。このシンボルＩには電池の残量が示される。電池の残量はシンボルＩを塗りつぶしている量で３段階に表され、塗りつぶしている量が多いほど電池の残量が多いことを示す。また、伝送ユニット３０と設定器３４との間では後述するように関係データを転送することができるが、関係データの転送には３０〜４０分間の時間を要する場合があり、このような作業中に電池の残量がなくなると作業が無駄になるから電池の残量が減少している場合には、関係データの転送を行わないようになっている。さらに電池の容量が少なくなれば、どのような処理を行なうか否かにはかかわらず、強制的に電源は遮断される。この点については後述する。
【００３４】
上述のような電池残量の表示を行うために、本実施形態では電池残量検出回路２８を設けている。電池残量検出回路２８は電池電圧を２段階の基準電圧と比較しており、各基準値よりも電池の出力電圧が高いときに、上記シンボルＩの一部を塗りつぶすようになっている。つまり、低いほうの基準値よりも電池電圧が高いときにはシンボルＩの半分を塗りつぶし、高いほうの基準値よりも電池電圧が高いときにはシンボルＩの残り半分を塗りつぶすのである。ここで、基準電圧は電池の残量が半分程度になった状態と、回路動作が維持できない程度になった状態とを判別するように設定されている。
【００３５】
しかして、両基準値よりも電池電圧が高ければシンボルＩの全体が塗りつぶされ、電池電圧が一方の基準値のみを超える場合にはシンボルＩの半分が塗りつぶされる。また、どちらの基準値よりも電池電圧が低くなるとシンボルＩの端部のみが塗りつぶされた状態になる。この状態では回路動作を維持することができないから、それまでの作業により生じているデータをデータメモリ２０ｂに保存することでデータの消失を防止する。データメモリ２０ｂへのデータの保存後には電源を自動的に遮断する。電池残量検出回路２８の出力に基づいて表示部１２に示されたシンボルＩを変更する処理は信号処理部２０が行う。ここにおいて、電池の残量が半分程度になったときには「電池を交換してください」という警告のメッセージを表示部１２に表示し、電池の残量が回路動作を維持できない程度になったときには「電池がなくなりました」という警告のメッセージを表示部１２に表示するようにするのが望ましい。また、データメモリ２０ｂへのデータの保存は、警告のメッセージの表示から約２０秒後とすればよい。
【００３６】
本実施形態では、電源として電池も用いることができるから電源の切り忘れがあると電池が消耗することになる。そこで、規定時間内に操作部が一度も操作されないときには電源を遮断するように構成してある。操作部（キーマトリクス２４）が規定時間内に操作されたか否かは信号処理部２０が判断しており、操作部が操作されなければ信号処理部２０からはオートオフ信号が出力される。信号処理部２０からのオートオフ信号を受けて内部回路への給電を遮断する回路は、電源回路２６に設けてある。
【００３７】
操作部１３を構成するキーマトリクス２４には、図５に示すように、それぞれ押操作される確認キーＫ１１、クリアーキーＫ１２、設定キーＫ１３、カーソルキーＫ１４、切り換えキーＫ１５、実行キーＫ１６、キャンセルキーＫ１７、順送りキーＫ１８、アドレス設定キーＫ２１、Ｐ・Ｇ設定キーＫ２２、初期キーＫ２３、特別キーＫ２４、個別キーＫ３１、調光キーＫ３２、グループキーＫ３３、パターンキーＫ３４が設けられている。これらのキーは基本的には４種類に分けて配置される。
【００３８】
設定器３４の動作モードにはアドレス設定モード、パターン・グループ設定モード、初期設定モード、特別モードの４つのモードがあり、これらのモードはそれぞれアドレス設定キーＫ２１、Ｐ・Ｇ設定キーＫ２２、初期キーＫ２３、特別キーＫ２４の押操作により選択される。つまり、アドレス設定キーＫ２１、Ｐ・Ｇ設定キーＫ２２、初期キーＫ２３、特別キーＫ２４は選択的に押操作される。また、どのモードが選択されているかは、表示部１２の画面１２ｂの左辺に示されるマーカＭの位置によって知ることができる。
【００３９】
アドレス設定キーＫ２１を操作してアドレス設定モードを選択すると、「アドレス設定」の文字に対応するマーカＭが反転表示され、光ワイヤレス信号により各端末器のデータ記憶部に対してアドレスや機能データの設定あるいは確認が可能になる。また、設定器３４を信号線Ｌｓに接続しない状態で電源を投入した場合もアドレス設定モードになる。つまり、信号線Ｌｓに接続されていない状態では信号有無検出回路２７において伝送信号が検出されないから、電源投入時に伝送信号が検出されなければ、アドレス設定モードに移行する。
【００４０】
従来の技術として説明したように１  台の端末器には４個の負荷番号があるから、アドレス設定モードでは、液晶表示器の１画面に上下４行になった４アドレス分の設定欄が表示される。設定欄は左右５列であって、４行５列のます目を有する。反転表示されたます目の内容は変更可能であり、反転表示させるます目の位置はカーソルキーＫ１４を用いて移動させることができる。すなわち、カーソルキーＫ１４は上下左右の移動方向を示した十字キーであって、所望方向に対応する部位を押操作すればその向きに反転表示の位置が移動する。
【００４１】
「制御種別」（１列目のます目）の内容は、カーソルキーＫ１４を用いて所望のます目を反転表示させた状態とした後に、切り換えキーＫ１５を用いるか、あるいは個別キーＫ３１、調光キーＫ３２、グループキーＫ３３、パターンキーＫ３４を用いることによって変更することができる。切り換えキーＫ１５を用いると、「個別」、「グループ」、「パターン」、「調光」の中から端末器の制御種別を順次選択することができ、個別キーＫ３１、調光キーＫ３２、グループキーＫ３３、パターンキーＫ３４を用いると同じ内容を１回のキー操作で選択することができる。
【００４２】
「制御種別」として図１２のように「個別」を選択したときには、図１３のように「アドレスＮｏ．」（２列目のます目）はチャンネル番号と負荷番号とをハイフンで結合した形で表示され、チャンネル番号と負荷番号とが各別に反転表示可能になる（反転表示状態を斜線部で示している）。つまり、カーソルキ−Ｋ１４により反転表示の位置を移動させる際にチャンネル番号と負荷番号とは別々に反転表示になる。チャンネル番号が反転表示されているときには、切り換えキーＫ１５によりチャンネル番号を増減させ、負荷番号が反転表示されているときには切り換えキーＫ１５により負荷番号を増減させることができる。
【００４３】
「制御種別」として「パターン」（Ｐ）あるいは「グループ」（Ｇ）を選択したときには、「アドレスＮｏ．」は１つの数値の形でパターン番号ないしグループ番号が反転表示可能になる。パターン番号とグループ番号とは、それぞれパターン制御とグループ制御とのための関係データに与えた組名であり、これらが反転表示されているときには、切り換えキーＫ１５によりパターン番号あるいはグループ番号を変更することができる。
【００４４】
「制御種別」が「個別」または「グループ」のときには、「タイマー」（４列目のます目）の内容を設定することができる。「タイマー」は、ます目が反転表示されているときに切り換えキーＫ１５により一時オン、遅れオフの指定ができ、合わせてその時間も選択される。つまり、一時オン（スイッチのオン操作後に一定時間だけ負荷をオンにする制御）では３０秒、１分、５分、６０分、１２０分の選択が可能であり、遅れオフ（スイッチのオフ操作後に一定時間が経過してから負荷をオフにする制御）では３０秒、１分、５分の選択が可能になっている。具体的には、タイマーオフ、一時オン３０秒、一時オン１分……、遅れオフ３０秒、遅れオフ１分、……、タイマーオフというように、動作の種別と時間との組み合わせが切り換えキーＫ１５により順次選択される。ここに、タイマーオフは一時オンや遅れオフを行わないことを意味する。
【００４５】
上述のようにして「制御種別」、「アドレスＮｏ．」、「タイマー」について１行目の設定が終了した後、２行目以降についても設定すべき内容があれば、同様の操作を繰り返す。必要な設定が終了した後に、投受光窓１４を端末器のワイヤレス信号送受信部に近付けて設定キーＫ１３を押操作すれば、ワイヤレス信号を端末器に伝送して表示部１２に表示した設定内容を端末器のデータ記憶部に格納することができる。ここで、端末器のデータ記憶部にデータが正常に格納されるとブザーＢｚが鳴動して確認音が発生する。別の端末器の内容を設定する際には、上述の操作を繰り返すことも可能であるが、順送りキーＫ１８を押操作すれば、アドレス（チャンネル番号）のみを順送りにして（１つ増加させて）同じ設定内容を表示部１２に表示させることができる。このような手順で個別スイッチ３１ａ、グループスイッチの機能を設定することができる。
【００４６】
一方、パターンスイッチ３１ｂのデータ記憶部に書き込むデータの設定には、「制御種別」として「パターン」とする。この状態では、「アドレスＮｏ．」の内容のみが設定可能になる。つまり、パターン制御に用いる関係データの識別子のみが与えられる。この場合も、設定キー１３の押操作によって端末器のデータ記憶部に表示部１２の設定内容を登録することができる。
【００４７】
操作端末器３１のうち調光スイッチ３１ｃのデータ記憶部にデータを設定するには、「制御種別」を「個別」とし、「アドレスＮｏ．」を設定する。調光スイッチ３１ｃに対して「タイマー」に内容を設定することは可能であるが、この内容は無視される。なお、いずれの場合も内容を設定できない欄には「−」が表示される。
【００４８】
上述の例では操作端末器３１に対するアドレスおよび機能の設定例を示したが、制御端末器３２についても同様にしてアドレスおよび機能を設定することができる。また、端末器のデータ記憶部にすでに設定されているデータを確認するには、アドレス設定キーＫ２１の押操作の後、ワイヤレス信号の伝送が可能な状態で確認を指示する確認キーＫ１１を押操作すれば、その端末器のデータ記憶部に設定されている内容が表示部１２に一覧表示される。
【００４９】
次に、Ｐ・Ｇ設定キーＫ２２を操作してパターン・グループ設定モードを選択した場合について説明する。このとき、「Ｐ・Ｇ設定」の文字に対応するするマーカＭが反転表示され、パターン制御やグループ制御のための関係データの作成、設定、確認が可能になる。パターン・グループ設定モードでは、設定器３４を信号線Ｌｓに接続する必要である。ここで、パターン・グループモードへの移行は信号線Ｌｓに接続した後に操作することで行えるが、信号線Ｌｓに接続した状態で電源を投入した場合もパターン・グループ設定モードに移行する。ただし、パターン・グループ設定モードに移行する前にはアドレス設定モードによって各端末器にアドレスを設定しておくことが必要である。
【００５０】
パターン・グループ設定モードでは、図１４に示すように、「制御種別」に対応する列に、パターン番号またはグループ番号と、照明負荷をフェード（時間経過とともに光出力を増減）させるか否かと、後述する一括オンオフの情報とを表示する。他の列はアドレス設定モードと同様である。ただし、アドレス設定モードでは使用しなかった、３列目と５列目が使用可能になる。３列目のます目には負荷をオンにするかオフにするかが表示される。また、５列目のます目には照明負荷の調光レベルが１〜７の数値で表示される。
【００５１】
パターン・グループ設定モードに移行すると、「制御情報」の列の最上段にパターン（Ｐ）かグループ（Ｇ）かの種別と、パターン番号またはグループ番号を示す数値とが表示される。これらは各別に反転表示され、種別が反転表示されている状態で、グループキーＫ３３を押操作すればパターン（Ｐ）が選択され、パターンキーＫ３４を押操作すればグループ（Ｇ）が選択される。同じ状態で切り換えキーＫ１５を操作することによってもパターン（Ｐ）とグループ（Ｇ）とを択一的に選択することができる。また、カーソルキーＫ１４を操作して数値が反転表示される状態とし（カーソル位置を移動し）、切り換えキーＫ１５を操作すれば、パターン番号あるいはグループ番号を変えることができる。
【００５２】
パターン制御あるいはグループ制御の関係データが伝送ユニット３０に設定されている場合には、上述のようにしてパターン制御かグループ制御かの別とパターン番号あるいはグループ番号とを指示した後、確認キーＫ１１を押操作すれば、指定したパターン番号あるいはグループ番号の関係データが伝送ユニット３０から読み出され、図１５のように表示部１２に一覧表示される。ただし、１画面には一度に４個のアドレスしか表示されないが、「アドレスＮｏ．」の列を反転表示させた状態で切り換えキーＫ１５を操作することによって、制御対象である他のアドレスを表示させることができる。
【００５３】
パターン制御あるいはグループ制御の関係データの編集は、上述のような関係データの確認を行うか否かにかかわらず、以下の手順で行うことができる。ここに、グループ制御は各負荷の状態が等しくなるように一括制御するのであり、パターン制御のように各負荷の状態を個別に設定する場合の特例とも言えるから、以下ではまずパターン制御の場合の関係データの編集について説明し、グループ制御の関係データの編集については相違点を後述する。パターン制御の関係データの編集には、関係データを確認する場合と同様に、パターン（Ｐ）とパターン番号とを選択する。また、フェードの欄は、切り換えキーＫ１５の操作によって、「フェードなし」、「フェード３秒」、「フェード６秒」、「フェード１分」の指定ができる。つまり、照明負荷のフェードを行う場合には、「３秒」、「６秒」、「１分」のいずれかの時間でのフェードが可能になる。
【００５４】
負荷の一括オンオフの情報については「オールオン」、「オールオフ」、「オールレベル」、「一括編集」、「オールクリアー」の指定ができる。これらの機能を用いると、パターン制御によって大部分の負荷を同じ状態に制御するような関係データを作成する場合には、一括して同じ制御状態を選択した後に、異なる部分のみを変更するという作業手順を採用することで、パターン制御の関係データの作成に要する時間を短縮することが可能になる。
【００５５】
「オールオン」は指定された範囲の全負荷をオンにすることを指示し、「オールオフ」は逆に指定された範囲の全負荷をオフにすることを指示する機能である。「オールレベル」は指定された範囲内で調光可能なすべての照明負荷の調光レベルを一致させる機能であり、調光レベルについては切り換えキーＫ１５を用いることで設定する。さらに、「一括編集」は「オールオン」、「オールオフ」、「オールレベル」、「オールクリアー」の機能が及ぶ範囲を設定する機能であり、カーソルキーＫ１４や切り換えキーＫ１５を用いることによってアドレスの範囲を設定する。「オールクリアー」は指定された範囲の全負荷をパターン制御の対象外とする機能である。したがって、「一括編集」によってアドレスの範囲が設定されているときには、「オールオン」、「オールオフ」、「オールレベル」、「オールクリアー」の各機能は、設定された範囲内のアドレス（負荷）に適用され、「一括編集」によってアドレスの範囲が設定されていなければ、システム内の全アドレス（負荷）に適用される。これらの各機能は切り換えキーＫ１５によってこれらの機能を選択した後に、実行キーＫ１６を押操作すれば選択した内容が設定され、キャンセルキーＫ１７を押操作すれば選択が中止される。
【００５６】
ここでは、図１６に示すように、「オールオン」の機能を用いて編集する場合について説明する。「オールオン」の機能を採用するから、すべてのアドレスについて「ＯＮ／ＯＦＦ」の列はオン（文字は「ＯＮ」）になる。「アドレスＮｏ．」の列が反転表示されているときに、切り換えキーＫ１５を短時間だけ押操作すると表示部１２の画面に表示されている各アドレスを順次選択することができる。また、切り換えキーＫ１５を長時間（たとえば２秒以上）押操作すると、図１７のように表示部１２に表示されるアドレスを変化させることができる。このような機能を用いて所望のアドレスを表示部１２に表示させ、カーソルキーＫ１３によって「ＯＮ／ＯＦＦ」の列にカーソルを移動させ、その内容を切り換えキーＫ１５により選択する。この状態では、「オン」、「オフ」、「エリア外」の選択が可能である。「エリア外」が指定されたアドレスはパターン制御から除外される。
【００５７】
「タイマー」の列を反転表示させた状態では、アドレス設定モードと同様の作業になる。つまり、切り換えキーＫ１５によって一時オン、遅れオフの指定ができ、合わせてその時間も選択される。つまり、一時オン（スイッチのオン操作後に一定時間だけ負荷をオンにする制御）では３０秒、１分、５分、６０分、１２０分の選択が可能であり、遅れオフ（スイッチのオフ操作後に一定時間が経過してから負荷をオフにする制御）では３０秒、１分、５分の選択が可能になっている。具体的には、「タイマーオフ」、「一時オン３０秒」、「一時オン１分」……「遅れオフ３０秒」、「遅れオフ１分」……「タイマーオフ」というように、動作の種別と時間との組み合わせが切り換えキーＫ１５により順次選択される。
【００５８】
パターン制御では上述のように調光レベルの設定も可能になっている。調光レベルについては「調光レベル」の列を反転表示させた状態で切り換えキーＫ１５によりレベルを選択する。ここに、レベルの選択は「ＯＮ／ＯＦＦ」の列でオンが選択されているアドレスのみ可能になる。
【００５９】
上述のようにして１つのパターン番号に属する各「アドレスＮｏ．」について、「ＯＮ／ＯＦＦ」、「タイマー」、「調光レベル」を必要に応じて設定した後に設定キーＫ１３を押操作すれば、データメモリ２０ｂに関係データが書き込まれる。
【００６０】
上述の例ではパターン制御の関係データを設定する手順について説明したが、グループ制御の関係データもほぼ同様になる。ただし、負荷の一括オンオフの情報は、「オールグループ」、「一括編集」、「オール除外」の３種類のみが選択可能になる。「オールグループ」は、パターン制御に対する関係データの設定時における「オールオン」や「オールオフ」と同様に、「一括編集」によるアドレス範囲が指定されていないときには、システム内の全負荷をグループ内に属する負荷とし、「一括編集」によるアドレス範囲が指定されているときには、指定された範囲内の全負荷をグループ内に属する負荷とする。また、「オール除外」は「一括編集」でアドレスの範囲が指定されているときには、指定された範囲内の全負荷をグループから除外し、「一括編集」でアドレスの範囲が指定されていなければ、システム内の全負荷をグループから除外する。
【００６１】
以後の操作はパターン制御に用いる関係データを設定する場合と同様である。ただし、グループに属するアドレスを決めた後に、「ＯＮ／ＯＦＦ」の欄を反転表示させて切り換えキーＫ１５を操作すれば、負荷をオンにするかグループから除外するかを選択することになる。他の手順はパターン制御の関係データを設定する場合と同様である。
【００６２】
なお、これらの各機能は切り換えキーＫ１５によって機能を選択した後に、実行キーＫ１６を押操作すれば選択した内容が設定され、キャンセルキーＫ１７を押操作すれば選択が中止される。
【００６３】
ところで、初期キーＫ２３を操作したときには、設定器３４の各種機能を設定する初期設定モードになり、マーカＭが「初期」の文字に対応する位置で反転表示される。初期設定モードでは、図１８に示すように、表示部１２上では、「操作音」、「電源切断時間」、「伝送ユニット」、「端末器変化監視」の各項目に対してフィールドが設定される。
【００６４】
初期設定モードが選択されると、操作部１３の操作に伴って操作音としてブザーＢｚを鳴動させるか否か、操作部１３の操作されないときに操作終了からどれだけ時間が経過すると電源を自動的にオフにするか、伝送ユニット３０の種別、端末器の台数変化を監視するか否かの設定が可能になる。ここに、どの項目について内容を設定するかはカーソルキーＫ１４により選択され、選択された項目の内容は切り換えキーＫ１５により選択可能になっている。また、選択された項目の内容は反転表示される。
【００６５】
ブザーＢｚによる操作音の有無は切り換えキーＫ１５により選択され、この機能は「操作音」の「あり」、「なし」を選択することになる。「あり」が選択されているときには、操作部１３を操作するたびにブザーＢｚの鳴動によって操作が確認される。
【００６６】
また、操作部１３の非操作時に電源を自動的にオフにする機能は、「電源切断時間」を切り換えキーＫ１５の操作によって、「なし」、「５分」、「１０分」の中から選択することができる。すなわち、電池の消耗を防止するために、電源が投入された状態で非操作であるときには非操作状態が一定時間（５分または１０分）継続すると電源をオフにするようにしているのである。電源を自動的にオフにする際には、作業メモリ２０ｃの内容は不揮発性メモリであるデータメモリ２０ｂに格納される。なお、「なし」が選択されると、電源は自動的にはオフにならない。
【００６７】
「伝送ユニット」のフィールドでは、伝送ユニット３０の種別が選択可能になる。現状では数種類の伝送ユニット３０が使用されており、これらの伝送ユニット３０では、パターン設定やグループ設定の内容を規定した関係データを信号線Ｌｓを通して伝送ユニット３０に転送できる機種のほか、この機能を持たない旧型のものもある。この点以外にも伝送ユニット３０には機能の相違がある。そこで、「伝送ユニット」のフィールドでは、伝送ユニット３０の型番（品種別）が切り換えキーＫ１５により選択可能になっている。また、信号線Ｌｓに接続した状態で電源を投入した場合には、設定器３４から伝送ユニット３０に対して各種の要求を行い、この要求に対する伝送ユニット３０の応答によって伝送ユニット３０の種類を自動判別する。たとえば、信号線Ｌｓを通して伝送される関係データを登録する機能がない伝送ユニット３０は、関係データの転送要求を行ったときの応答が得られないことによって判別することが可能である。このように伝送ユニット３０の機能を利用して応答を確認すれば、伝送ユニット３０の種別を特定することができる。伝送ユニット３０の種別が特定された後には、伝送ユニット３０の品種別に応じて設定器３４においては使用可能な機能が選別される。なお、「伝送ユニット」のフィールドが選択されたときに、表示部１２において確認が要求されたときには、実行キーＫ１６を押操作する。このように伝送ユニット３０の品種別を選択することにより、伝送ユニット３０の品種ごとの関係データの設定仕様の制限事項を設定器３４で選択することができ、たとえば調光制御に対応していない伝送ユニット３０の場合には、関係データの設定時に調光用の設定が行えないように機能を制限することが可能になる。また、伝送ユニット３０の型番は信号線Ｌｓに接続することなく選択することができるから、伝送ユニット３０に応じた関係データを設定器３４だけで行うことが可能である。
【００６８】
端末器の台数変化を監視する機能（つまり、「端末器変化監視」）は、「設定」と「解除」とが選択可能であって、「設定」が選択されているときには、信号線Ｌｓに接続される端末器の台数が増加したか減少したかが検出され、端末器の台数に増減があると表示部１２に図１９のように表示され、端末器の変化があったことの通知と、増減した端末器のアドレスとが表示される。この画面が表示されたときには、キャンセルキーＫ１７を押操作すれば元の画面に戻すことができる。この機能は端末器の故障や接続不良などを検出するために設けられている。つまり、この種の異常状態が発生しているときには端末器の接続台数が変化して正常に動作しないから、この種の異常を検出して報知するのである。ここに、端末器の台数変化を検出する方法としては、伝送ユニット３０が発生している伝送信号を常時監視しておき、存在していた端末器からの応答がなくなったときや、存在していなかった端末器から応答があるような場合には端末器の台数に変化が生じたものとして検出すればよい。
【００６９】
特別キーＫ２４を操作して特別モードを選択すると、「特別」の文字の位置でマーカＭが反転表示される。特別モードでは、図２０に示すように、表示部１２上には、「伝送ユニット」、「チェック」、「編集」、「設定状態」の項目に対するフィールドが設定される。この場合もカーソルキーＫ１４で項目を選択し、切り換えキーＫ１５で内容を選択する。
【００７０】
「伝送ユニット」の項目では、「入力」、「出力」、「照合」の３内容が選択可能であり、それぞれ伝送ユニット３０に設定されている関係データを設定器３４に読み込む機能、伝送ユニット３０に対して設定器３４から関係データを書き込む機能、伝送ユニット３０に設定された関係データと設定器３４に設定された関係データとを照合する機能を意味している。ここにおいて、「入力」を選択したときには図２１に示す画面が表示され、フィールドＦ１の内容を、切り換えキーＫ１５によって「パターン範囲」「全グループ」「グループ範囲」「全データ」「全パターン」の中から選択することが可能になる。選択後は実行キーＫ１６とキャンセルキーＫ１７との一方によって、機能を実行するか中止するかを選択することができる。「全データ」はパターン設定とグループ設定とのすべての設定内容、「全パターン」はパターン設定の全内容、「全グループ」はグループ設定の全内容を意味する。また、「パターン範囲」「グループ範囲」を選択した場合には、パターン番号あるいはグループ番号の範囲を指定する画面が表示され、この画面上で切り換えキーＫ１５およびカーソルキーＫ１４を用いることによって、パターン番号あるいはグループ番号の範囲を設定できる。その後、実行キーＫ１６を押操作すれば、指定した範囲の関係データが伝送ユニット３０から設定器３４に転送される。
【００７１】
このようにして伝送ユニット３０から設定器３４に読み込んだデータに基づいて関係データを作成する場合には、Ｐ・Ｇ設定キーＫ２２を押操作して上述したパターン・グループ設定モードに移行させればよい。
【００７２】
一方、「伝送ユニット」の項目において「出力」を選択したときには、データメモリ２０ｂに格納されている関係データを、信号線Ｌｓを通して伝送ユニット３０に転送することができる。「出力」も「入力」と同様に、データの転送範囲を指定することができる。ここに、「入力」や「出力」の際にはどのパターン番号ないしグループ番号の関係データを転送しているかを表示部１２に表示するようにしてあり、また終了時点では終了を示すメッセージが表示部１２に表示される。このことによって、「入力」や「出力」に比較的長時間を要しても正常に動作しているか否か、あるいは終了までにどの程度の時間を要するかを、ある程度予測することが可能になり、使用者の不安感を低減することができる。
【００７３】
「照合」を選択したときには、データメモリ２０ｂに格納されている関係データと、伝送ユニット３０に設定されている関係データとを照合し、照合結果が一致していれば正常終了し、照合結果が不一致であると不一致が検出された時点で照合を中断し、そのときのパターン番号ないしグループ番号を表示部１２に表示する。このように、伝送ユニット３０と設定器３４との間で関係データを照合することができるから、伝送ユニット３０に対して同じ関係データを何度も書き込む無駄を防止することができる。
【００７４】
ところで、関係データを伝送ユニット３０との間で転送するには設定器３４を信号線Ｌｓに接続する。すなわち、設定器３４にはジャック型のレセプタクル１５が設けられており、設定器３４を信号線Ｌｓに接続する際にはレセプタクル１５に着脱自在に結合される差込コネクタ３７を一端部に備える図１のような接続線Ｌｃを用い、接続線Ｌｃの他端部に設けたコネクタ３８を信号線Ｌｓにあらかじめ接続してある相手側コネクタ４０（図２参照）に接続する。
【００７５】
差込コネクタ３７は、図１に示すように、合成樹脂成型品の把持部３７ａの一面に金属により角筒状に形成されたシールド筒３７ｂが突設され、シールド筒３７ｂの内部に３本のコンタクト３７ｃが配置された構成を有する。また、接続線Ｌｃはシールド付きの２芯線であって、シールドがシールド筒３７ｂと１本のコンタクト３７ｃとに電気的に接続されている。一方、コネクタ３８は接続線Ｌｃのシールドに電気的に接続された金属製のスリーブ３８ａを有し、スリーブ３８ａの先端部に形成された凹所３８ｂ内に２本のコンタクト３８ｃが配置されている。また、スリーブ３８ａには締め付けナット３８ｄが回転自在に保持されており、スリーブ３８ａの先端部を相手側コネクタ４０に差し込んだ状態で締め付けナット３８ｄを相手側コネクタ４０に螺合させることができるようにしてある。
【００７６】
相手側コネクタ４０は丸形コネクタであって、図２に示すように、ＪＩＳ規格において大角形連用配線器具として規格化されている１個モジュール寸法のケース５０に取り付けられている。１個モジュール寸法は、壁面などの施工面に一部を埋め込んで取り付けられる埋込型配線器具の一種である大角形連用配線器具の３個用の取付枠に最大３個取り付けることができる寸法を意味する。したがって、相手側コネクタ４０は後述する取付枠に最大３個まで取り付けたり、スイッチやコンセントのような他の配線器具とともに取付枠に取り付けたりすることが可能になっている。
【００７７】
ケース５０は合成樹脂成型品であって、前面側が開口するボディ５１と、ボディ５１の前面に覆着されるカバー５２とを結合して結合される。ボディ５１の開口周面には組立孔５１ａが形成され、カバー５２から後方に突設した組立脚５２ａの先端部を組立孔５１ａに凹凸係合させることによってボディ５１とカバー５２とが結合されるようにしてある。ケース５０の内部にはプリント基板よりなる回路基板５３が収納され、回路基板５３にはねじ付き端子５４と、相手側コネクタ４０とが実装され、ねじ付き端子５４はボディ５１の後面（図２（ｆ）の下面）に露出し、相手側コネクタ４０はカバー５２の前面（図２（ｆ）の上面）に一部が突出する。
【００７８】
カバー５２は、前面の中央部に突台部５２ｂが突設され、突台部５２ｂの両側に肩部５２ｃが形成された形状を有している。突台部５２ｂの前面中央部には円形に開口する挿入孔（図示せず）が形成され、この挿入孔を通して相手側コネクタ４０の前端部がカバー５２の前面に突出する。カバー５２の両肩部５２ｃの側面には、各一対の取付爪５５が突設される。また、突台部５２ｂと各肩部５２ｃとに跨る部位には１個ずつの取付孔５６が形成される。
【００７９】
カバー５２の前面にはボールチェーンからなる連結紐５７の一端部が結合され、連結紐５６の他端部には相手側コネクタ４０に螺合するキャップ４１が取り付けられている。相手側コネクタ４０は、コネクタ３８のスリーブ３８ａの先端部が挿入可能となった円環状の溝部４０ａを有し、溝部４０ａの内側に設けた絶縁材料の支持台４０ｂには２個のコンタクト４０ｃが設けられている。コンタクト４０ｃにはコネクタ３８に設けたコンタクト３８ｃが挿入される。また、溝部４０ａの外側を囲む外筒４０ｄには外周面にねじ部（図示せず）が形成され、このねじ部に締め付けナット３８ｄとキャップ４１とのいずれかを螺合させることができるようになっている。したがって、コネクタ３８を接続したときには締め付けナット３８ｄをねじ部に螺合させることでコネクタ３８の抜け止めをなし、コネクタ３８を接続していないときにはキャップ４１を螺合させることでコンタクト４０ｃに異物が接触したり付着したりするのを防止することができる。
【００８０】
上述のように構成されたケース５０は、たとえば図３に示す合成樹脂製の取付枠６０に保持された形で壁面などの施工面に取り付けられる。この取付枠６０は、左右一対の側枠６１，６２の上下両端間をそれぞれ上枠６３ａと下枠６３ｂとにより連結した矩形枠状であり、側枠６１，６２と上枠６３ａおよび下枠６３ｂとにより囲まれた取付窓６４にカバー５２の突台部５２ｂが挿入される。一方の側枠６１には可撓片６５が延設され、可撓片６５に設けた操作片６５ａと側枠６１との間にはカバー５２に設けた取付爪５５が挿入される保持孔６６ａが形成される。また、他方の側枠６２にも取付爪５５が挿入される保持孔６６ｂが形成される。したがって、保持孔６６ｂにカバー５２の一方の側面に突設した取付爪５５を挿入し、その後、側枠６１と可撓片６５との間の保持孔６６ａにカバー５２の他方の側面に突設した取付爪５５を挿入すれば、ケース５０が取付枠６０に結合される。逆に取付枠６０からケース５０を外すには、マイナスドライバのような工具を用いて操作片６５ａをケース５０から離れる向きに撓ませればよい。
【００８１】
上枠６３ａおよび下枠６３ｂには、横長に形成されたボックス孔６７が形成され、施工面に埋め込まれた埋込ボックス（図示せず）に取付枠６０を取り付ける際には、ボックス孔６７に挿通されるボックスねじを埋込ボックスに螺合させる。また、ボックス孔６７の左右両側には引掛孔６８が形成される。引掛孔６８は壁パネルのようなパネル材に取付枠６０を取り付ける際に、引掛金具（図示せず）の一端部を引掛孔６８に挿入して引掛金具を取付枠６０に枢支するために用いる。つまり、引掛金具を取付枠６０に枢支した状態で、ボックス孔６７を通して引掛金具に螺合する引締ねじを締め付けると、引掛金具の他端部が取付枠６０に近付くことになる。つまり、パネル材に開口を形成しておき、取付枠６０と引掛金具との間で開口の周部を挟持すれば、取付枠６０をパネル材に固定することができる。ボックス孔６７の近傍にはねじ孔６９も形成されており、化粧プレートなどをねじによって取付枠６０に結合する際にはねじ孔６９を用いる。
【００８２】
なお、取付枠には金属製のものも提供されており、金属製のものの多くは取付孔５６に挿入可能な爪を塑性変形させるように形成されているが、基本的な構成は合成樹脂製のものと同様である。
【００８３】
接続線Ｌｃとしては、図４に示すように、一端部に差込コネクタ３７を備え、他端部にはワニ口クリップ３９を備えたものを用いてもよい。このような形状の接続線Ｌｃを用いると、相手側コネクタ４０を設けていない場合でも信号線Ｌｓに接続線Ｌｃを接続することが可能になる。しかも、従来構成のように信号線Ｌｓと接続線Ｌｃとの接続のためのねじ止めを行う必要がないから、コネクタ３８を用いる場合と同様に信号線Ｌｓへの結線作業が簡単になる。しかも、差込コネクタ４０を設ける必要がないから低コストで提供可能になる。
【００８４】
ところで、設定器３４と伝送ユニット３０との間の関係データの転送は、システムの動作中に負荷の制御を妨げることなく行うことが可能である。つまり、設定器３４は関係データを伝送ユニット３０との間で転送しようとするときには、操作端末器３１と同様に割込信号を発生し、伝送ユニット３０に対してデータの転送要求を行う。ただし、１回の伝送信号で転送可能なバイト数は関係データのバイト数よりも小さいから、複数個の伝送信号に分けて関係データを転送することになる。したがって、伝送ユニット３０および設定器３４にはカウンタを設けておき、設定器３４との間で転送される関係データのバイト数をカウントし、関係データの転送が終了したか否かを判断する。また、関係データの転送中に操作端末器３１による割込信号が発生したときには、伝送ユニット３０は関係データの転送を中断し、操作端末器３１からの割込信号に対する処理を優先させる。この処理の終了後、伝送ユニット３０は設定器３４との間で関係データの転送を再開させる。このような処理によって、スイッチＳＷの操作による負荷Ｌの制御を妨げることなく、関係データの転送が行われることになる。なお、一般に操作端末器３１による割込信号の発生頻度はダミーモードの伝送信号が伝送されている回数に比較すると十分に少ないから、ダミーモードの伝送信号が伝送されている期間、つまり空き時間は関係データを転送するのに十分な程度に存在している。言い換えると、上述のように負荷の制御を優先するようにしても関係データは比較的短時間で転送することができる。
【００８５】
「チェック」は、関係データを用いて実際に動作するか否かの「動作確認」、未使用アドレスを表示させる「空き端末表示」、各端末器のアドレスがパターン設定やグループ設定で使用されているか否かを表示させる「端末登録Ｐ・Ｇ表示」、動作状態を示す「システム状態表示」の機能が選択可能になっている。
【００８６】
「動作確認」では、図２２に示すように、種別、番号、確認のフィールドＦ２〜Ｆ４と、調光レベルを示すバーＢが表示され、カーソルキーＫ１４および切り換えキーＫ１５により種別と番号とを与えることによって、負荷の動作状態と調光レベルとが表示される。ここで、確認のフィールドＦ４を反転表示させた状態で切り換えキーＫ１５を操作すると、負荷のオンオフを制御することができ、また調光レベルのバーＢにカーソルを移動させて切り換えキーＫ１５を操作すると調光レベルを制御することができる。つまり、設定器３４によって、負荷の個別制御、パターン制御、グループ制御、調光レベル制御が可能になる。
【００８７】
「空き端末表示」では図２３に示すように伝送ユニット３０の管理下にない端末器のアドレスが一覧表示される。表示部１２の表示領域は狭いから、表示量よりも空きアドレスが多い場合には切り換えキーＫ１５の操作によって残りの空きアドレスを表示することができる。ここに、空きアドレスを表示するのに必要な画面数は、右上に分数の形で表示される。図示例では「１／１」と表示されており、１画面で表示可能であることが示されている。２画面を要する場合には「１／２」「２／２」などと表示される。この機能を用いると、端末器の増設などの際にすでに使用されているアドレスを知ることができるから、アドレスの重複を回避して誤動作を防止することができる。なお、「空き端末表示」では各端末器の動作状態を伝送ユニット３０から獲得することによって、使用されている端末器と未使用の端末器とを識別することができる。
【００８８】
「端末登録Ｐ・Ｇ表示」では端末器を指定すると、その端末器がどのパターンあるいはグループで使用されているかを一覧表示することができる。つまり、図２４に示すように、表示部１２の画面の最上段においてカーソルキーＫ１４および切り換えキーＫ１５によってアドレス（図示例では１１−２）を指定した後、実行キーＫ１６を押操作すると、パターン番号およびグループ番号が一覧表示されるのである。この機能はレイアウト変更などに伴ってパターン設定やグループ設定の内容を変更する必要が生じたときに有効であって、目的とする端末器がどのパターン番号やグループ番号に属しているかを知ることによって、どのパターン設定やグループ設定の内容を変更すべきかを容易に知ることができる。この種の作業は従来では手作業で行っており、各パターン設定やグループ設定の内容を個々に確認していたのに対して、本実施形態の設定器３４ではこの種の作業が自動化され利便性が高くなった。なお、「端末登録Ｐ・Ｇ表示」では関係データの検索によって得られた情報を示している。
【００８９】
「システム状態表示」は、図２５に示すように、各アドレスの負荷の状態を一覧表示するものであり、これは伝送信号を検出することによって示される。図示例では、０−４、１−２、２−２のアドレスに対応する負荷がオフになっている。パターン制御やグループ制御の際に実際に動作させた後に、この機能を用いると、パターン設定やグループ設定の設定通りに負荷が動作しているか否かを一覧して確認することができ、設定誤りの有無を容易に確認することができる。
【００９０】
ところで、「編集」が選択されると、「パターン反転」、「コピー」、「オール消去」、「範囲」が選択可能になる。これらの選択も上述した例と同様に切り換えキーＫ１５により所望の項目を選択した状態で、実行キーＫ１６を操作する。
【００９１】
「パターン反転」を切り換えキーＫ１５により選択し実行キーＫ１６を押操作すると、切り換えキーＫ１５によりパターン番号を選択可能な状態になる。ここでパターン番号を選択して実行キーＫ１６を押操作すれば、そのパターン番号に属する関係データのオンとオフとを入れ換えた関係データを作成することができる。この機能を用いると、たとえば照明負荷により照明される１つのエリアについて、一つのパターンでは照明負荷を点灯させ、他のパターンでは照明負荷を消灯させるというような２つの関係データの組を設定するのが容易になる。つまり、後述する「コピー」によって２組の関係データを作成しておき、一方に対して「パターン反転」を適用すれば、オンオフの関係が違いに反対になった２組の関係データを作成することができる。なお、エリア外に設定されている端末器については、「パターン反転」ではオンオフは反転されない。
【００９２】
「コピー」を選択すると、表示部１２には、パターンかグループかの別と、コピー元と、コピー先とを入力するフィールドが表示される。各フィールドの内容は切り換えキーＫ１５によって指定し、実行キーＫ１６を押操作すれば、コピー元からコピー先へ関係データがコピーされる。つまり、同じ関係データを２組作成することができる。この機能を用いることによって、似たような関係データを作成する場合に、それぞれ個別に最初から作成するのではなく、コピー後に一部を変更するようにして作成することが可能になり、関係データの作成作業が容易になるのである。
【００９３】
「オール消去」を選択したときには、切り換えキーＫ１５により全データ、全パターン、全グループの選択が可能であり、いずれかを選択して実行キーＫ１６を押操作すれば、パターン制御およびグループ制御のすべての関係データ、パターン制御のすべての関係データ、グループ制御のすべての関係データをそれぞれ一括して消去することができる。
【００９４】
「範囲」ではパターン番号の範囲またはグループ番号の範囲を選択可能になり（パターンかグループかは切り換えキーＫ１５で選択する）、範囲の先頭と末尾との番号を切り換えキーＫ１５によって指定する。また、その範囲のすべてのアドレスについて、オン、オフ、エリア外のいずれかを切り換えキーＫ１５で選択し、実行キーＫ１６を押操作すると、複数個のパターンの関係データあるいは複数個のグループの関係データを、オン、オフ、エリア外のいずれかに設定することが可能になる。このような機能を用いることによって、複数組の関係データについて、オールオン、オールオフ、オールエリア外の設定が可能になり、類似した関係データを多数組作成する場合には関係データを短時間で作成することが可能になる。
【００９５】
ところで、「設定状態」では、遠隔監視システムの動作モードを負荷制御を行なう通常状態（つまり制御モード）とするか、負荷制御を停止させて関係データを伝送ユニット３０に設定する設定状態（設定モード）とするかを選択する「Ｐ・Ｇ設定モード設定」、パターン制御の関係データやグループ制御の関係データを一覧表示する「Ｐ・Ｇ設定内容一覧」、パターン番号やグループ番号の空きを一覧表示する「空きＰ・Ｇ表示」が選択される。
【００９６】
「Ｐ・Ｇ設定モード設定」では切り換えキーＫ１５によって通常状態と設定状態とを選択するのである。この機能を備えることによって、伝送ユニット３０が通常状態か設定状態かを知ることができ、しかも、その状態を設定器３４によって切り換えることが可能になるのであって、たとえば設定状態であるときでも設定器３４によってこれを解除し通常状態に移行させることができる。
【００９７】
「Ｐ・Ｇ設定内容一覧」では図２６に示すように、各パターン番号ないし各グループ番号に属するアドレスにおけるオンオフの状態が一覧表示される。図示例では左上にパターン番号（Ｐ１）が表示されている。ここで、パターン番号やグループ番号に属するアドレスが表示部１２の表示量を超える場合には、切り換えキーＫ１５を操作することで画面を切り換えて他のアドレスのオンオフの状態を次々に表示することができる。
【００９８】
「空きＰ・Ｇ表示」では、図２７に示すように、パターン番号やグループ番号を一覧表示し、未使用のものに○印を付与する。ここで、切り換えキーＫ１５の操作によって画面を切り換えて他のパターン番号やグループ番号を次々に表示することができる。なお、パターン番号を表示する場合にはグループキーＫ３３を押操作し、グループ番号を表示する場合にはパターンキーＫ３４を押操作する。このようにパターン番号やグループ番号の空きを表示する機能を有しているから、端末器の増設などの際にすでに使用されているパターン番号やグループ番号を確認することができ、パターン番号やグループ番号が重複するのを防止することができる。この機能も関係データの検索によって実現される。
【００９９】
【発明の効果】
請求項１の発明は、それぞれアドレスが設定された複数台の端末器と伝送ユニットとが２線式の信号線に接続され、伝送ユニットから前記各端末器に時分割多重伝送方式により伝送信号を伝送し、いずれかの端末器への監視入力があると、伝送ユニットにアドレスの関係として設定された監視入力と負荷との対応関係を用いることにより、他の端末器に接続された負荷を制御し、１つの監視入力に複数の負荷を対応付けるように対応関係を設定した関係データを伝送ユニットに設定しているときには１つの監視入力により複数の負荷を一括して制御可能とする遠隔監視制御システムに用いられ、表示内容の異なる画面を切替表示可能な表示部と、表示部と協働して各端末器のアドレスまたは前記関係データの設定内容を指示する操作部と、前記表示部および前記操作部により設定した関係データを格納可能なデータメモリと、前記表示部および前記操作部により設定した各端末器のアドレスを端末器に転送するアドレス設定処理と前記データメモリに格納した関係データを伝送ユニットに転送する関係データ設定処理とが選択可能な信号処理部と、前記信号処理部においてアドレス設定処理が選択されているときに前記端末器との間にワイヤレス信号を伝送媒体とする伝送路を形成し端末器に設けた不揮発性メモリからなる記憶部に端末器のアドレスを転送させるワイヤレス通信部と、前記信号線に接続可能であって前記信号処理部において関係データ設定処理が選択されているときに前記データメモリから前記伝送ユニットに関係データを転送する経路を形成する接続線とを備え、前記接続線の一端には信号線に接続されている相手側コネクタに着脱可能に接続されるコネクタが設けられ、前記相手側コネクタが、埋込型配線器具用の取付枠における取付窓に前部が挿入されるとともに取付窓への挿入部位の両側面に取付枠と係合して取付枠に保持される取付部を有したケースの前面に露出する形で取り付けられるものであって、前記コネクタの一部が挿入可能となった円環状の溝部が設けられ、前記溝部を囲む外筒の外周面には前記コネクタに設けた締め付けナットと螺合してコネクタの抜け止めをなすねじ部が形成され、コネクタを接続していないときにねじ部に螺合させて異物の接触や付着を防止するキャップが連結紐を介して前記ケースに取り付けられ、前記ケースは取付枠の取付窓への装着時に取付窓内に他の配線器具を取り付けるスペースを残す寸法に形成されているものであり、伝送ユニットと端末器との間を接続する信号線に接続した相手側コネクタに着脱可能に接続されるコネクタを接続線の一端に設けたことによって、工具を用いることなくコネクタを着脱することで信号線と接続線とを接続することが可能になる。その結果、関係データの設定作業が容易になるという利点がある。しかも、前記相手側コネクタが、埋込型配線器具用の取付枠における取付窓に前部が挿入されるとともに取付窓への挿入部位の両側面に取付枠と係合して取付枠に保持される取付部を有したケースの前面に露出する形で取り付けられ、前記ケースは取付枠の取付窓への装着時に取付窓内に他の配線器具を取り付けるスペースを残す寸法に形成されているものであり、埋込型配線器具に用いる取付枠を流用して施工することができ、施工用の部材を別途に用意する必要がなく、施工用部材の開発コストおよび製造コストの増加を抑制することができるという利点がある。
【０１０２】
請求項２の発明は、請求項１の発明において、前記器体には前記接続線の他端に設けた差込コネクタが着脱自在に接続されるレセプタクルが設けられているものであり、接続線が不要であるときには接続線を外しておくことができ、ワイヤレス信号の伝送時などには接続線を外しておけば接続線が邪魔にならないという利点がある。
【図面の簡単な説明】
【図１】本発明の実施の形態に用いる接続線を示し、（ａ）は側面図、（ｂ）は下面図、（ｃ）はコネクタの正面図である。
【図２】同上に用いる相手側コネクタおよびケースを示し、（ａ）はキャップを外し多状態の正面図、（ｂ）はキャップを取り付けた状態の正面図、（ｃ）は背面図、（ｄ）は側面図、（ｅ）は上面図、（ｆ）は一部破断した下面図である。
【図３】同上に用いる取付枠を示す斜視図である。
【図４】同上に用いる他の接続線を示し、（ａ）は側面図、（ｂ）は下面図である。
【図５】同上において接続線を外した状態の正面図である。
【図６】同上の縦断面図である。
【図７】同上の一部切欠した背面図である。
【図８】同上の平面図である。
【図９】同上の要部側面図である。
【図１０】同上のブロック図である。
【図１１】同上の表示部を示す要部正面図である。
【図１２】同上の動作説明図である。
【図１３】同上の動作説明図である。
【図１４】同上の動作説明図である。
【図１５】同上の動作説明図である。
【図１６】同上の動作説明図である。
【図１７】同上の動作説明図である。
【図１８】同上の動作説明図である。
【図１９】同上の動作説明図である。
【図２０】同上の動作説明図である。
【図２１】同上の動作説明図である。
【図２２】同上の動作説明図である。
【図２３】同上の動作説明図である。
【図２４】同上の動作説明図である。
【図２５】同上の動作説明図である。
【図２６】同上の動作説明図である。
【図２７】同上の動作説明図である。
【図２８】従来のシステム構成を示すブロック図である。
【図２９】同上の動作説明図である。
【図３０】従来の他のシステム構成を示すブロック図である。
【図３１】同上において設定器を接続した状態を示す配線図である。
【図３２】同上に用いる接続線を示し、（ａ）は側面図、（ｂ）は下面図である。
【符号の説明】
１１  器体
１２  表示部
１３  操作部
１５  レセプタクル
２０  信号処理部
２０ｂ  データメモリ
２１  送受信回路
２５  光送受信回路
３０  伝送ユニット
３１  操作端末器
３２  制御端末器
３４  設定器
３７  差込コネクタ
３８  コネクタ
３９  ワニ口クリップ
４０  相手側コネクタ
５０  ケース
５５  取付爪
６０  取付枠
６４  取付窓
Ｌ  照明負荷
Ｌｃ  接続線
Ｌｓ  信号線
Ｓａ  スイッチ
Ｓｂ  スイッチ
【図１】
0003622637.tif 000002
【図２】
0003622637.tif 000003
【図３】
0003622637.tif 000004
【図４】
0003622637.tif 000005
【図５】
0003622637.tif 000006
【図６】
0003622637.tif 000007
【図７】
0003622637.tif 000008
【図８】
0003622637.tif 000009
【図９】
0003622637.tif 000010
【図１０】
0003622637.tif 000011
【図１１】
0003622637.tif 000012
【図１２】
0003622637.tif 000013
【図１３】
0003622637.tif 000014
【図１４】
0003622637.tif 000015
【図１５】
0003622637.tif 000016
【図１６】
0003622637.tif 000017
【図１７】
0003622637.tif 000018
【図１８】
0003622637.tif 000019
【図１９】
0003622637.tif 000020
【図２０】
0003622637.tif 000021
【図２１】
0003622637.tif 000022
【図２２】
0003622637.tif 000023
【図２３】
0003622637.tif 000024
【図２４】
0003622637.tif 000025
【図２５】
0003622637.tif 000026
【図２６】
0003622637.tif 000027
【図２７】
0003622637.tif 000028
【図２８】
0003622637.tif 000029
【図２９】
0003622637.tif 000030
【図３０】
0003622637.tif 000031
【図３１】
0003622637.tif 000032
【図３２】
0003622637.tif 000033